(57)【要約】【課題】通風抵抗が小さく加湿能力を向上できる加湿装置を提供する。【解決手段】本体筐体２に設けられる吸込口８及び吹出口１０と、吸込口８と吹出口１０とを連結する送風通路と、送風通路に配される送風機４と、着脱自在の給水タンク５と、給水タンク５から供給された水を貯水する貯水部６と、吸水性を有する加湿エレメント４４を隙間Ｄを介して並設するとともに下端が貯水部６に浸漬される加湿ユニット７ａ、７ｂとを備え、加湿ユニット７ａ、７ｂを加湿エレメント４４の並設方向に対して直交する方向に空間部を介して配置した。【選択図】図６
2010196908.tif 000002
【特許請求の範囲】
【請求項１】
本体筐体に設けられる吸込口及び吹出口と、前記吸込口と前記吹出口とを連結する送風通路と、前記送風通路に配される送風機と、着脱自在の給水タンクと、前記給水タンクから供給された水を貯水する貯水部と、吸水性を有する加湿エレメントを隙間を介して並設するとともに下端が前記貯水部に浸漬される第１、第２加湿ユニットとを備え、第１、第２加湿ユニットを前記加湿エレメントの並設方向に対して直交する方向に空間部を介して配置したことを特徴とする加湿装置。
【請求項２】
前記吸込口からの空気が流入する空気流入口と前記吹出口に向かう空気が流出する空気流出口とを開口して第１、第２加湿ユニットが配される加湿室を前記送風通路内に設け、前記空気流入口と前記空気流出口とが前記加湿エレメントの並設方向の両端に離れて第１、第２加湿ユニットから互いに離れる方向の端部に配されることを特徴とする請求項１に記載の加湿装置。
【請求項３】
複数の前記加湿エレメントをそれぞれ保持するとともに突起部を有する複数の保持部を備え、隣接する前記保持部が前記突起部に当接して前記隙間を形成したことを特徴とする請求項１または請求項２に記載の加湿装置。
【請求項４】
複数の前記加湿エレメントを保持して一体化される保持部を備え、各前記加湿エレメント間で前記保持部を折曲して前記隙間を形成したことを特徴とする請求項１または請求項２に記載の加湿装置。
【請求項５】
前記加湿エレメントを袋状に形成するとともに前記加湿エレメントを被嵌して保持する保持部を備え、前記保持部を折曲して前記隙間を形成したことを特徴とする請求項１または請求項２に記載の加湿装置。
【発明の詳細な説明】
【技術分野】
【０００１】
本発明は、水を蒸発させて通風する気化式の加湿装置に関するものである。
【背景技術】
【０００２】
従来の加湿装置は特許文献１、２に開示されている。これらの加湿装置は本体筐体に開口する吸込口及び吹出口を連結する送風通路内に送風機及び加湿フィルターが配される。加湿フィルターは吸水性を有する素材によりハニカム状の空気流路が形成される。給水タンクから給水される貯水部に加湿フィルターの下端が浸漬して毛細管現象により水を全面に行き渡るように吸い上げる。
【０００３】
送風機の駆動によって室内の空気が吸込口から送風通路内に取り込まれ、加湿フィルターのハニカム状の空気流路を通過する。これにより、加湿フィルターから蒸発した水分が空気に含まれ、吹出口から水分を含んだ空気を送出して室内の加湿が行われる。
【先行技術文献】
【特許文献】
【０００４】
【特許文献１】特開２００３−２６２３６７号公報（第２頁−第５頁、第６図）
【特許文献２】特開２００１−２３５１９３号公報（第２頁−第３頁、第４図）
【発明の概要】
【発明が解決しようとする課題】
【０００５】
しかしながら、従来の加湿装置によると、加湿能力を向上させるために空気流路を長くすると加湿フィルターの空気通過方向の幅が大きくなる。このため、加湿フィルターの通風抵抗が大きくなる問題があった。
【０００６】
本発明は、通風抵抗が小さく加湿能力を向上できる加湿装置を提供することを目的とする。
【課題を解決するための手段】
【０００７】
上記目的を達成するために本発明は、本体筐体に設けられる吸込口及び吹出口と、前記吸込口と前記吹出口とを連結する送風通路と、前記送風通路に配される送風機と、着脱自在の給水タンクと、前記給水タンクから供給された水を貯水する貯水部と、吸水性を有する加湿エレメントを隙間を介して並設するとともに下端が前記貯水部に浸漬される第１、第２加湿ユニットとを備え、第１、第２前記加湿ユニットを前記加湿エレメントの並設方向に対して直交する方向に空間部を介して配置したことを特徴としている。
【０００８】
この構成によると、給水タンクが装着されると給水タンクから供給される水が貯水部に所定量貯水される。第１、第２加湿ユニットは貯水部に下端が浸漬し、加湿エレメントが毛細管現象により水を吸い上げる。送風機の駆動によって室内の空気が吸込口から本体筐体内に取り込まれ、送風通路を流通する。送風通路を流通する空気は第１加湿ユニットの加湿エレメント間の隙間を通過し、空間部を流通して第２加湿ユニットの加湿エレメント間の隙間を通過する。これにより、空気に水分が含まれ、吹出口から水分を含んだ空気を送出して室内の加湿が行われる。
【０００９】
また本発明は、上記構成の加湿装置において、前記吸込口からの空気が流入する空気流入口と前記吹出口に向かう空気が流出する空気流出口とを開口して第１、第２加湿ユニットが配される加湿室を前記送風通路内に設け、前記空気流入口と前記空気流出口とが前記加湿エレメントの並設方向の両端に離れて第１、第２加湿ユニットから互いに離れる方向の端部に配されることを特徴としている。
【００１０】
この構成によると、本体筐体内に送風通路の一部を構成する加湿室が隔壁等によって隔離して形成される。加湿室内には第１、第２加湿ユニットが配され、平面的に視て対角に空気流入口及び空気流出口が配される。吸込口から本体筐体内に取り込まれた空気は一端に設けられた空気流入口を介して加湿室に流入する。加湿室に流入した空気は加湿室内を第１、第２加湿ユニットの長手方向に流通するとともに加湿エレメント間の隙間を流通し、水分を含んで他端に配された空気流出口から流出する。空気流出口から流出した空気は吹出口から室内に送出される。
【００１１】
また本発明は、上記構成の加湿装置において、複数の前記加湿エレメントをそれぞれ保持するとともに突起部を有する複数の保持部を備え、隣接する前記保持部が前記突起部に当接して前記隙間を形成したことを特徴としている。この構成によると、加湿エレメントは枠形状や桟形状の保持部に保持されて平板状に形成され、複数並設される。この時、隣接する保持部は突起部が当接して加湿エレメント間に隙間が形成される。
【００１２】
また本発明は、上記構成の加湿装置において、複数の前記加湿エレメントを保持して一体化される保持部を備え、各前記加湿エレメント間で前記保持部を折曲して前記隙間を形成したことを特徴としている。この構成によると、複数の加湿エレメントは枠形状や桟形状の連続した一の保持部に保持され、保持部を蛇行して折曲することにより加湿エレメント間に隙間が形成される。
【００１３】
また本発明は、上記構成の加湿装置において、前記加湿エレメントを袋状に形成するとともに前記加湿エレメントを被嵌して保持する保持部を備え、前記保持部を折曲して前記隙間を形成したことを特徴としている。この構成によると、袋状の加湿エレメントは枠形状や桟形状の連続した一の保持部に被嵌され、保持部を蛇行して折曲することにより加湿エレメント間に隙間が形成される。
【発明の効果】
【００１４】
本発明によると、第１、第２加湿ユニットを加湿エレメントの並設方向に対して直交する方向に空間部を介して配置したので、通風抵抗が小さく加湿エレメントと空気との接触面積を大きくして加湿能力を向上することができる。
【００１５】
また本発明によると、加湿室の空気流入口と空気流出口とが加湿エレメントの並設方向の両端に離れて第１、第２加湿ユニットから互いに離れる方向の端部に配されるので、加湿室を流通する空気の経路が長くなる。また、加湿室を流通する空気が加湿エレメントの並設方向に分散して隣接する加湿エレメント間を流通する。従って、第１、第２加湿ユニット全体の加湿エレメントから空気に水分が供給され、加湿能力をより向上することができる。
【図面の簡単な説明】
【００１６】
【図１】本発明の第１実施形態の加湿装置を正面から視た斜視図
【図２】本発明の第１実施形態の加湿装置の水受けトレイを取りだした状態を示す背面斜視図
【図３】本発明の第１実施形態の加湿装置を背面カバーを分解した状態の背面から視た斜視図
【図４】本発明の第１実施形態の加湿装置を背面カバーを切欠いた状態の背面から視た斜視図
【図５】本発明の第１実施形態の加湿装置を背面カバーを取り外した状態の背面から視た斜視図
【図６】本発明の第１実施形態の加湿装置の加湿室を示す上面図
【図７】本発明の第１実施形態の加湿装置の加湿ユニットを示す斜視図
【図８】本発明の第１実施形態の加湿装置の加湿フィルターを示す正面図
【図９】本発明の第１実施形態の加湿装置の内部を上方から視た斜視図
【図１０】本発明の第１実施形態の加湿装置の内部の要部を示す斜視図
【図１１】本発明の第２実施形態の加湿装置の加湿フィルターを示す正面図
【図１２】本発明の第２実施形態の加湿装置の加湿フィルターを示す側面図
【図１３】本発明の第２実施形態の加湿装置の他の加湿フィルターを示す側面図
【図１４】本発明の第２実施形態の加湿装置の他の加湿フィルターを示す正面図
【図１５】本発明の第３実施形態の加湿装置の加湿フィルターの折曲前の状態を示す平面図
【図１６】本発明の第３実施形態の加湿装置の加湿フィルターの折曲した状態を示す上面図
【図１７】本発明の第４実施形態の加湿装置の加湿フィルターの折曲前の状態を示す平面図
【図１８】本発明の第４実施形態の加湿装置の加湿フィルターの折曲した状態を示す上面図
【発明を実施するための形態】
【００１７】
以下に本発明の実施形態を図面を参照して説明する。図１は第１実施形態の加湿装置の正面側から視た斜視図を示している。加湿装置１は本体筐体２の前面、右側面の前部、底面の前部が前面カバー１２により覆われ、上面が上面カバー１５により覆われる。上面カバー１５には加湿装置１の操作を行う操作部３２が設けられ、操作部３２の右方には吹出口１０が開口する。また、操作部３２の裏面には制御基板（不図示）が設けられる。本体筐体３の左側方には着脱自在の給水タンク５が配される。給水タンク５は本体筐体２の底部に配されたスライド自在の水受けトレー６（貯水部）上に装着され、水受けトレー６に給水する。
【００１８】
図２は加湿装置１の背面側から視た斜視図であり、水受けトレー６を引き出した状態を示している。本体筐体２の背面、右側面の後部、底面の後部は背面カバー１３により覆われ、左側面は側面カバー１４により覆われる。側面カバー１４の下部に設けた開口部１７を介して水受けトレー６がスライド移動する。
【００１９】
本体筐体２の背面側の背面カバー１３には着脱自在のフィルターカバー３４が設けられ、フィルターカバー３４には吸込口８が開口する。フィルターカバー３４を取り外して後述するフィルター３５（図３参照）の着脱が行われる。
【００２０】
給水タンク５は断面略矩形の有底筒状の透光性の容器から成っている。例えばＰＥＴ（ポリエチレンテレフタレート）、ＰＰ（ポリプロピレン）等の合成樹脂素材のブロー成形等により給水タンク５が形成される。給水タンク５の周面は剛性を確保するために凹凸波形形状に形成される。給水タンク５の一方の底面には開口部（不図示）が形成され、弁機構（不図示）を有したタンクキャップ３９を螺合して塞がれる。給水タンク５の他方の底面には着脱時に把持されるタンク把手４０が設けられている。
【００２１】
水受けトレー６は上面を開口するフィルタ収容部６ａとタンク収納部６ｂとを有している。フィルタ収容部６ａは本体筐体２内に配され、加湿ユニット７ａ、７ｂ（第１、第２加湿ユニット）が配される。加湿ユニット７ａ、７ｂは詳細を後述するように水受けトレー６の貯水に下端が浸漬されて吸水する。
【００２２】
タンク収納部６ｂは水受けトレー６の収納状態で側面カバー１４よりも側方に突出して設けられ、給水タンク５がタンクキャップ３９を下方にして立設される。タンク収納部６ｂの底面には給水タンク５の弁機構（不図示）に対向する受け部（不図示）が突出して形成される。給水タンク５を装着した際に受け部の当接により弁機構が開放され、水受けトレー６に水を貯めることができるようになっている。
【００２３】
尚、水受けトレー６は本体筐体２から着脱可能になっており、加湿フィルタ７ａ、７ｂは水受けトレー６に対して着脱自在になっている。これにより、給水系統の清掃を容易に行えるようになっている。
【００２４】
図３、図４、図５は加湿装置１を背面から視た斜視図であり、それぞれ背面カバー１３を分解した状態、背面カバー１３の一部を切欠いた状態、背面カバー１３を取り外した状態を示している。背面カバー１３にはフィルターカバー３４に設けた吸込口８に対向してメッシュ状に形成されたフィルター部３３が設けられる。フィルター部３３とフィルタカバー３４との間には繊維状のフィルター３５が設けられる。フィルター部３３及びフィルター３５により、本体筐体２内への塵埃の侵入が防止される。
【００２５】
本体筐体２内には水受けトレイ６の上方を覆い、加湿ユニット７ａ、７ｂの上面に近接する横仕切壁１８が設けられる。これにより、本体筐体２の下部に水受けトレイ６及び加湿ユニット７ａ、７ｂを収容する加湿室２ａが隔離して形成される。横仕切壁１８には本体筐体２の上部を左右方向に仕切る通路仕切壁１８ａが一体に設けられる。通路仕切壁１８ａにより送風機４が配される送風機室２ｂと、給水タンク５と反対側の端部で加湿室２ａと吹出口１０とを連通させる側方通路９とが分離して形成される。
【００２６】
送風機室２ｂ内は横仕切壁１８と一体の縦仕切壁１９により前後に仕切られる。縦仕切壁１９の略中央には円形の開口部１９ａが形成される。縦仕切壁１９の背面側には送風機４を取り付けるアングル２９が開口部１９ａの周縁に橋架される。送風機４はモータ部４ａ及びファン部４ｂを有するシロッコファンから成り、モータ部４ａをアングル２９に取付けてファン部４ｂが開口部１９ａの前方に配される。そして、送風機４は後方から軸方向に吸い込んだ空気を径方向外側に吹出すようになっている。
【００２７】
アングル２９の背面にはセンサ収納部３０が設けられる。センサ収納部３０は送風機４の回転軸の延長上に設けられ、吸込口８に面した背面側を開放した直方体形状に形成される。センサ収納部３０の内部には温度センサ２７及び湿度センサ２８が収容される。温度センサ２７、湿度センサ２８及び送風機４の配線はセンサ収納部３０に設けた貫通穴（不図示）を介して外部に引き出される。これらの配線はアングル２９に沿って配され、操作部３２の裏面に設けられた制御基板（不図示）に結線される。
【００２８】
尚、背面カバー１３のフィルター部３３はセンサ収納部３０に対向する中央部３３ａの開口度が周囲よりも小さく形成される。また、開口度の小さい中央部３３ａの面積はセンサ収納部３０の背面開口の面積よりも大きくなっている。これにより、温度センサ２７や湿度センサ２８に対する吸込口８から侵入する塵埃の付着を低減することができる。
【００２９】
図６は加湿室２ａの上面図を示している。加湿室２ａは平面的に視て左右方向に長い略矩形に形成される。加湿ユニット７ａ、７ｂは複数の加湿フィルター４２を並設して左右方向に延びて形成され、空間部４６を介して前後に配される。加湿ユニット７ａ、７ｂによって加湿室２ａ内は前後に分割され、前方の空気通路２３と後方の空気通路２４とが形成される。
【００３０】
加湿室２ａの上面の横仕切壁１８（図３参照）には空気通路２３、２４にそれぞれ臨む空気流入口２１及び空気流出口２２が開口する。空気流入口２１は加湿ユニット７ａよりも前方の給水タンク５に近い端部に設けられる。空気流出口２２は加湿ユニット７ｂよりも後方の給水タンク５から離れた端部に設けられる。これにより、空気流入口２１と空気流出口２２とは加湿フィルター４２の並設方向の両端に離れて加湿ユニット７ａ、７ｂから互いに離れる方向の端部に配され、平面的に視て加湿室２ａの対角に配置される。
【００３１】
送風機４の駆動によって吸込口８から送風機室２ｂ内に取り込まれた空気は空気流入口２１を介して加湿室２ａに流入する。空気流出口２２は加湿室２ａ内の空気が流出し、側方通路９を介して吹出口１０から送出される。従って、送風機室２ｂ、加湿室２ａ及び側方通路９は吸込口８と吹出口１０とを連結して空気が流通する送風通路を形成する。
【００３２】
図７は加湿ユニット７ａの斜視図を示している。加湿ユニット７ｂも加湿ユニット７ａと同一の構成になっている。加湿ユニット７ａは収納ケース４５内に平板状の多数の加湿フィルター４２を左右方向に隙間Ｄを介して並設される。加湿フィルター４２は収納ケース４５の内面に所定間隔で設けた溝（不図示）に嵌設して隙間Ｄが形成される。加湿ユニット７ａの下端部は水受けトレイ６の貯水に浸漬される。
【００３３】
図８は加湿フィルター４２の正面図を示している。加湿フィルター４２は加湿エレメント４２とこれを保持する枠形状の保持部４３とを有している。保持部４３は樹脂成形品から成り、矩形の開口部４３ａが形成される。
【００３４】
加湿エレメント４４は通気性及び吸水性を有する不織布等から成り、開口部４３ａ内に埋設される。加湿エレメント４４と保持部４３とは略等しい厚みに形成され、隣接する加湿エレメント４４間には隙間Ｄ（図７参照）が形成される。保持部４３を外側を開放した桟形状に形成してもよく、外枠及び桟を有するように形成してもよい。
【００３５】
加湿エレメント４４の下端は水受けトレイ６に浸漬し、毛細管現象によって加湿エレメント４４全体に水が浸透する。加湿室２ａを流通する空気は加湿エレメント４４間の隙間Ｄを通過するとともに、一部が加湿エレメント４４の表面に垂直な方向に通過する。これにより、加湿エレメント４４から蒸発した水分が含まれる。
【００３６】
尚、インサート成形によって加湿エレメント４４を保持部４３と一体に成形すると、加湿フィルター４２の量産性を向上することができる。また、加湿エレメント４４に防カビ剤や抗菌剤等の薬剤を練り込んでもよい。これにより、水受けトレー６内の雑菌やカビの発生を抑制することができる。
【００３７】
図９、図１０は吹出口１０近傍の本体筐体２内を上方から視た斜視図及び背面から視た斜視図を示している。側方通路９内の吹出口１０近傍にはイオンを発生するイオン発生装置３８が配される。イオン発生装置３８の上方には湾曲したカバー４１が設けられる。カバー４１は側方通路９の壁面を形成し、側方通路９を流通する空気を左右に広がる吹出口１０に円滑に導く。また、カバー４１には多数の小孔４１ａが形成され、イオン発生装置３８から発生したイオンを吹出して側方通路９に供給できるようになっている。
【００３８】
イオン発生装置３８は電圧が印加される電極を有している。電極間に交流電圧を印加することにより、放電によって生成された電子からエネルギーを受けて空気中の酸素分子または水分子がイオン化する。これにより、プラスイオンとしてＨ+（Ｈ2Ｏ）m（ｍは任意の整数）を生成し、マイナスイオンとしてＯ2-（Ｈ2Ｏ）n（ｎは任意の整数）を生成する。
【００３９】
これらのイオンを送風機４の駆動により吹出口１０から室内に放出すると、カビ菌、細菌、ウィルス等の浮遊菌の表面に付着して化学反応により活性種である過酸化水素（Ｈ2Ｏ2）または水酸基ラジカル（・ＯＨ）を生成する。過酸化水素や水酸基ラジカルは極めて強力な活性を示すため、空気中の浮遊菌を取り囲んで殺菌・不活化することができる。また、過酸化水素や水酸基ラジカルは化学有害物質を酸化若しくは分解する。このため、ホルムアルデヒドやアンモニア等の化学有害物質を二酸化炭素、水、窒素等の無害な物質に変換して実質的に無害化することが可能である。
【００４０】
尚、図示しないが、送風機室２ｂには吸込口８から吸込んだ空気を加熱する加熱ヒータが設けられる。加熱ヒータにより加熱された空気を加湿ユニット７に送ることにより、加湿エレメント４４の水分の蒸発を促進して加湿能力を向上させることができる。
【００４１】
上記構成の加湿装置１において、給水タンク５を水受けトレー６にセットして操作部３２の運転スイッチをＯＮにすると、例えば、加湿運転モードが実行される。加湿運転モードの実行によって送風機４、加熱ヒータ、イオン発生装置３８及び加湿ユニット用モータ４７が駆動される。
【００４２】
送風機４の駆動により吸込口８から吸い込まれた空気は加熱ヒータで加熱される。加熱された空気は送風機室２ｂから空気流入口２１を介して加湿室２ａに流入する。空気流入口２１から加湿室２ａに流入した空気は矢印Ｓ（図６参照）に示すように空気流入口２１と対角に配された空気流出口２２の方向に導かれる。
【００４３】
この時、該空気は空気通路２３を通って左右に分散し、加湿ユニット７ａの隙間Ｄを加湿エレメント４４に沿って流通する。加湿ユニット７ａを通過した空気は空間部４６でも左右に分散し、加湿ユニット７ｂの隙間Ｄを加湿エレメント４４に沿って流通する。また、一部の空気は加湿ユニット７ａ、７ｂの加湿エレメント４４の表面に垂直な方向に通過する。
【００４４】
そして、加熱された空気によって加湿エレメント４４に浸透した水が蒸発し、該空気に水分が含まれる。この時、横仕切壁１８が加湿ユニット７ａ、７ｂの上面に近接して加湿ユニット７ａ、７ｂ間の空間部４６には多くの水蒸気が滞留している。このため、空間部４６を通過する際にも空気に水分を含ませることができる。
【００４５】
また、上流側の加湿ユニット７ａを出た空気が空間部４６を通過する際に乱流が発生し、下流側の加湿ユニット７ｂには乱流となった空気が流入する。このため、加湿ユニット７ｂの隙間Ｄの左右方向の中間部分を素通りする空気が減少され、加湿エレメント４４に接触する空気量が増加する。従って、空気により多くの水分を含ませることができる。
【００４６】
水分を含んだ空気は空気流出口２２を介して加湿室２ａから流出し、側方通路９を流通する。側方通路９を流通する空気にはイオン発生装置３８により発生したイオンが含まれる。この時、空気中の水分子によりイオンを囲み、イオンの消滅を低減することができる。そして、水分及びイオンを含む空気は吹出口１０から室内に放出され、室内の加湿及び除菌が行われる。
【００４７】
本実施形態によると、加湿ユニット７ａ、７ｂ（第１、第２加湿ユニット）を加湿エレメント４４の並設方向に対して直交する方向に空間部４６を介して配置したので、通風抵抗が小さく加湿エレメント４４と空気との接触面積を大きくして加湿能力を向上することができる。また、空間部４６によって乱流を発生して加湿エレメント４４に接触する空気量が増加するため空気により多くの水分を含ませて加湿能力をより向上することができる。また、加湿能力が向上した分だけ加熱ヒータによる加熱量を低下させることができ、加湿装置１の省エネルギー化を図ることができる。
【００４８】
また、加湿室２ａの空気流入口２１と空気流出口２２とが加湿エレメント４４の並設方向の両端に離れて加湿ユニット７ａ、７ｂから互いに離れる方向の端部に配されるので、加湿室２ａを流通する空気の経路が長くなる。また、加湿室を流通する空気が加湿エレメント４４の並設方向に分散して加湿エレメント４４間を流通する。従って、加湿ユニット７ａ、７ｂ全体の加湿エレメント４４から空気に水分が供給され、加湿能力をより向上することができる。
【００４９】
また、加湿フィルター４２は保持部４３の開口部４３ａに加湿エレメント４４を埋設されるので、インサート成形によって量産性に優れた加湿フィルター４２を得ることができる。
【００５０】
次に、第２実施形態の加湿装置１について説明する。本実施形態は加湿フィルター４２の構成が前述の図１〜図１０に示す第１実施形態と異なっている。その他の部分は第１実施形態と同一である。図１１、図１２は本実施形態の加湿装置１の加湿フィルター４２の正面図及び側面図を示している。これらの図において説明の便宜上、第１実施形態と同様の部分には同一の符号を付している。
【００５１】
本実施形態の加湿フィルター４２は保持部４３の片面の上下端に図１１において左右に延びる突起部４３ｂが一体に設けられる。これにより、隣接する加湿フィルター４２の保持部４３に突起部４３ｂが当接して加湿エレメント４４間の隙間Ｄ（図７参照）が形成される。
【００５２】
本実施形態によると、第１実施形態と同様の効果を得ることができる。また、保持部４３に突起部４３ｂを設けたので、加湿エレメント４４間の隙間Ｄ（図７参照）を容易に形成することができる。
【００５３】
突起部４３ｂは図１３に示すように保持部４３の両面に設けてもよい。また、図１４に示すように、突起部４３ｂを保持部４３の上下の左右端に分けて設けてもよい。これにより、水受けトレー６内の水の流れをよくすることができる。
【００５４】
次に、第３実施形態の加湿装置１について説明する。本実施形態は加湿フィルター４２の構成が前述の図１〜図１０に示す第１実施形態と異なっている。その他の部分は第１実施形態と同一である。図１５は本実施形態の加湿装置１の加湿フィルター４２の正面図を示している。同図において説明の便宜上、第１実施形態と同様の部分には同一の符号を付している。
【００５５】
本実施形態の加湿フィルター４２は加湿室２ａ（図３参照）内で上下方向となる部分を連結して一体化され、折曲によって加湿エレメント４４が並設される。保持部４３は一方向に延びて形成され、矩形の複数の開口部４３ａが形成される。隣接する開口部４３ａ間には折り目４３ｄで折曲可能な連結部４３ｃが設けられる。各開口部４３ａにはそれぞれ加湿エレメント４４がインサート成形等によって埋設される。
【００５６】
そして、保持部４３は各加湿エレメント４４間で連結部４３ｃの両端の折り目４３ｄによりコ字状に折曲される。これにより、図１６に示すように上下に連結部４３ｃが配されて蛇行する一体の加湿フィルター４２が得られる。これにより、加湿エレメント４４が隙間Ｄ（図７参照）を有して並設される。保持部４３を各加湿エレメント４４間でＵ字状に折曲してもよく、く字状に折曲してもよい。
【００５７】
本実施形態によると、第１実施形態と同様の効果を得ることができる。また、開口部４３ａに配した各加湿エレメント４４間で保持部４３を折曲したので、加湿エレメント４４間の隙間Ｄ（図７参照）を容易に形成することができるとともに部品点数を削減することができる。
【００５８】
次に、第４実施形態の加湿装置１について説明する。本実施形態は加湿フィルター４２の構成が前述の図１〜図１０に示す第１実施形態と異なっている。その他の部分は第１実施形態と同一である。図１７は本実施形態の加湿装置１の加湿フィルター４２の正面図を示している。同図において説明の便宜上、第１実施形態と同様の部分には同一の符号を付している。
【００５９】
本実施形態の加湿フィルター４２は加湿室２ａ（図３参照）内で上下方向となる部分を連結して一体化され、折曲によって加湿エレメント４４が並設される。保持部４３は一方向に延びて形成され、矩形の複数の開口部４３ａが形成される。隣接する開口部４３ａ間には折り目４３ｄで折曲可能な連結部４３ｃが設けられる。保持部４３には袋状の加湿エレメント４４が被嵌される。
【００６０】
そして、連結部４３ｃの両端の折り目４３ｄにより各開口部４３ａ間がコ字状に折曲される。これにより、図１８に示すように上下に連結部４３ｃが配されて蛇行する一体の加湿フィルター４２が得られる。これにより、加湿エレメント４４が隙間Ｄ（図７参照）を有して並設される。保持部４３を各開口部４３ａ間でＵ字状に折曲してもよく、く字状に折曲してもよい。
【００６１】
本実施形態によると、第１実施形態と同様の効果を得ることができる。また、袋状の加湿エレメント４４を保持部４３に被嵌して保持部４３を折曲したので、加湿エレメント４４間の隙間Ｄ（図７参照）を容易に形成することができるとともに部品点数を削減することができる。尚、保持部４３の片面または両面にシート状の加湿エレメント４４を固着しても同様の効果を得ることができる。
【００６２】
以上、本発明の実施形態につき説明したが、本発明の範囲はこれに限定されるものではなく、発明の主旨を逸脱しない範囲で種々の変更を加えて実施することができる。
【産業上の利用可能性】
【００６３】
本発明によると、水を蒸発させて通風する気化式の加湿装置に利用することができる。
【符号の説明】
【００６４】
１    加湿装置
２    本体筐体
２ａ  加湿室
２ｂ  送風機室
４    送風機
５    給水タンク
６    水受けトレー
６ａ  フィルタ収容部
６ｂ  タンク収容部
７ａ、７ｂ  加湿ユニット
８    吸込口
９    側方通路
１０    吹出口
１２    前面カバー
１３    背面カバー
１４    側面カバー
１５    上面カバー
１８    横仕切壁
１９    縦仕切壁
２１    空気流入口
２２    空気流出口
２３、２４  空気通路
３４    フィルターカバー
３５    フィルター
３８    イオン発生装置
４２    加湿フィルター
４３    保持部
４３ａ  開口部
４４    加湿エレメント
４５    収納ケース
４６    空間部
【図１】
2010196908.tif 000003
【図２】
2010196908.tif 000004
【図３】
2010196908.tif 000005
【図４】
2010196908.tif 000006
【図５】
2010196908.tif 000007
【図６】
2010196908.tif 000008
【図７】
2010196908.tif 000009
【図８】
2010196908.tif 000010
【図９】
2010196908.tif 000011
【図１０】
2010196908.tif 000012
【図１１】
2010196908.tif 000013
【図１２】
2010196908.tif 000014
【図１３】
2010196908.tif 000015
【図１４】
2010196908.tif 000016
【図１５】
2010196908.tif 000017
【図１６】
2010196908.tif 000018
【図１７】
2010196908.tif 000019
【図１８】
2010196908.tif 000020